【事件の表示】
　特許第５９３４４７３号発明「スロットマシン」の特許異議申立事件について、次のとおり決定する。
【結　論】
　特許第５９３４４７３号の請求項１に係る特許を維持する。
【理　由】
１　手続の経緯  
　本件特許第５９３４４７３号（以下「本件特許」という。）の請求項１に係る特許についての出願は、平成２３年４月２８日に特許出願され、平成２８年５月１３日にその特許権の設定登録がされ、その後、平成２８年１２月１２日付けで特許異議申立人日本電動式遊技機特許株式会社より特許異議の申立てがされたものである。
  
２　本件発明  
　本件特許の請求項１に係る発明（以下「本件発明」という。）は、特許請求の範囲の請求項１に記載された事項により特定される次のとおりのものである（当審において請求項１をＡ〜Ｈに分説した。）。
「【請求項１】
Ａ　各々が識別可能な複数種類の識別情報を変動表示可能な可変表示部を備え、
Ｂ　前記可変表示部を変動表示した後、前記可変表示部の変動表示を停止することで表示結果を導出し、該表示結果に応じて入賞が発生可能なスロットマシンにおいて、
Ｃ　ゲームの開始に伴い前記可変表示部の変動表示を開始させる変動開始手段と、
Ｄ　前記可変表示部の変動速度が所定速度となっていることを条件に、前記可変表示部に表示結果を導出させる制御を行う導出制御手段と、
Ｅ　遊技者を検知する遊技者検知手段と、
Ｆ　前記可変表示部の変動表示が開始した後、前記導出制御手段により前記可変表示部に表示結果が導出されるまでに、前記遊技者検知手段により遊技者が検知されなくなった場合に、該可変表示部の変動表示を一旦停止させることにより変動表示中よりも消費電力を少なくする変動停止手段と、
Ｇ　前記変動停止手段により前記可変表示部の変動表示が停止している状態で、所定の再開条件が成立した場合に、前記可変表示部の変動表示を再開させる変動再開手段と、
　を備え、
Ｈ　前記変動停止手段は、前記変動表示を一旦停止させる場合に、前記可変表示部の変動速度が所定速度となっていることを条件に、遊技者が入賞の発生と誤認しない所定停止態様で変動表示を停止させる
　ことを特徴とするスロットマシン。」
３　特許異議申立理由の概要
　特許異議申立人日本電動式遊技機特許株式会社は、証拠方法として甲第１〜５号証を提出し、本件発明は、甲第１号証に記載の発明及び甲第２〜５号証の記載事項に基づいて当業者が容易に発明をすることができたものであると主張している。
＜証拠方法＞
甲第１号証：特開２００８−１４２４１９号公報
甲第２号証：特開２００９−２１９７２７号公報
甲第３号証：特開２００１−５８０２６号公報
甲第４号証：特開２００９−２６１８４６号公報
甲第５号証：平成１９年３月１４日公開、特許庁、標準技術集、Ｗｅｂ公開のトップページ「標準技術集作成テーマ一覧」及び「遊技機及びその関連技術　第２部　パチスロ　１　遊技内容（機能関連）　１−２　遊技ルール　１−２−１　遊技内容／遊技ルール／基本ルール　１−２−１−４　リールに関するルール」の第１１頁、写し
４　甲各号証の記載
（１）甲第１号証  
　特許異議申立人により特許異議申立書において提出された甲第１号証（特開２００８−１４２４１９号公報）には、以下の事項が記載されている。
（１−ａ）「【技術分野】
【０００１】
　この発明は、スロットマシンに関し、回転リールの回転中に、遊技者がトイレ等により離席した際に、回転中の回転リールを一時停止させ、遊技者が遊技を再開後、一時停止中の回転リールを再始動させることができるようにしたものである。
　・・・
【発明が解決しようとする課題】
【０００３】
　しかし、上記した従来のスロットマシンは、回転リールの回転中に、遊技者がトイレ等により離席すると、回転リールが自動停止してしまい、遊技を再開できないという問題点があった。
　さらに、最近では回転リールの自動停止機能が付加されていないスロットマシンが存在し、回転リールの回転中に離席してしまうと、モータに負荷がかかるとともに、周りの遊技者に迷惑をかけるという問題点もあった。」
（１−ｂ）「【００２０】
　      （３）スタートスイッチ(70)
　
スタートスイッチ(70)は、
回転リール(31〜33)の回転を開始させるためのものである。
　なお、所定数の賭数設定を条件としては、例えばメダル投入口(50)からの遊技媒体（例えばメダル）の投入、クレジットを利用してのベットスイッチ(60〜62)の操作による賭数の設定、さらにカードの度数等が考えられるが、これらに限定されるものではない。
【００２１】
　      （４）ストップスイッチ(80〜82)
　ストップスイッチ(80〜82)は、複数個、例えば３個有り、各回転リール(31〜33)に対応するとともに、
当該各回転リール(31〜33)のリールモータ(34〜36)の駆動を停止させることで、当該回転リール(31〜33)の図柄（ａ〜ｃ）を表示窓(20)に停止表示可能なもの
（１−ｃ）「【００２３】
　第２に、遊技制御装置(200)には、例えば図１に示すように、次の構成を備える。
　      （６）役抽選手段(310)
　役抽選手段(310)は、スタートスイッチ(70)の操作にもとづいて、役の当否を抽選により決定するためのものである。
　      （７）リール停止制御手段(320)
　
リール停止制御手段(320)は、役抽選手段(310)の抽選結果、及び各ストップスイッチ(80〜82)の操作にもとづいて、当該各ストップスイッチ(80〜82)に対応するリールモータ(34〜36)の駆動を制御することで、当該リールモータ(34〜36)に対応する各回転リール(31〜33)の停止制御を行うためのものである
【００２４】
　第３に、遊技制御装置(200)には、例えば図１に示すように、次の構成を備える。
　      （８）離席検出手段（例えば遊技一時中断スイッチ110）
　
離席検出手段（例えば遊技一時中断スイッチ110）は、スロットマシン(10)において遊技を行っていた遊技者が、当該スロットマシン(10)から離れた離席状態を検出するためのものである。
【００２５】
　なお、離席検出手段として、遊技一時中断スイッチ(110)を例示したが、これに限定されない。
　      （９）遊技再開検出手段（例えば遊技一時中断スイッチ110）
　
遊技再開検出手段（例えば遊技一時中断スイッチ110）は、スロットマシン(10)を離席した遊技者が、当該スロットマシン(10)において遊技を再開した遊技再開状態を検出するためのものである。
【００２６】
　なお、遊技再開検出手段として、遊技一時中断スイッチ(110)を例示したが、これに限定されない。
　      （１０）遊技一時中断手段(360)
　
遊技一時中断手段(360)は、回転リール(31〜33)の回転中に、離席検出手段（例えば遊技一時中断スイッチ110）により離席状態が検出されたことを条件に、当該回転中の回転リール(31〜33)に対応するリールモータ(34〜36)の駆動を停止させ、例えば図６に示すように、当該回転リール(31〜33)を一時停止させることで遊技を一時中断させるためのものである。
【００２７】
　      （１１）遊技再開手段(370)
　
遊技再開手段(370)は、遊技一時中断手段(360)による遊技の一時中断中に、遊技再開検出手段（例えば遊技一時中断スイッチ110）により遊技再開状態が検出されたことを条件に、一時停止させていた回転リール(31〜33)に対応するリールモータ(34〜36)の駆動を開始させ、当該回転リール(31〜33)の回転を再開させることで一時中断中の遊技を再開させるためのものである。
（請求項２）
　請求項２に記載の発明は、上記した請求項１に記載の発明の特徴点に加え、次の点を特徴とする。」
（１−ｄ）「【００７４】
　スロットマシン10の高さの中央には、透明な方形の表示窓20を設けている。
　表示窓20の内部には、リールユニット30を配置している。
　リールユニット30は、表示窓20に臨む複数個、例えば３個の回転リール31〜33と、各回転リール31〜33を個々に回転可能な、複数個、例えば３個の回転リール31〜33と同数の３個のリールモータ34〜36（図１参照）とを備える。
【００７５】
　なお、回転リール31〜33及びリールモータ34〜36の個数は、３個に限定されず、２個、或いは４個以上でも良い。
　
各回転リール31〜33には、
外周に複数種類の図柄ａ〜ｃが表示されている。
表示窓20には、
図柄ａ〜ｃが停止表示される
　・・・
【００７８】
　なお、ベットスイッチ60〜62の個数は、３個に限定されず、単数としても良いし、２個、或いは４個以上としても良い。
　３個のベットスイッチ60〜62の下側には、スタートスイッチ70を設けている。
　
スタートスイッチ70は、所定数の賭数設定を条件に、３個のリールモータ34〜36を駆動することで、３個の回転リール31〜33の回転を開始させる
　
（１−ｅ）「【００９１】
　ホッパーユニット120は、
表示窓20に停止表示された回転リール31〜33の図柄ａ〜ｃが、予め設定された図柄ａ〜ｃの組み合わせに一致する場合に
　      （３）演出用制御手段400
（演出用制御手段400）
　演出用制御手段400は、遊技用制御手段300に接続され、遊技用制御手段300から一方向に送信される信号、例えばコマンドやデータ等にもとづいて、各種の演出を制御するためのものである。
　・・・
【００９７】
　なお、次の（３）〜（５）の役の説明については、後述する。
　また、役は、役のうち１個だけ当選する場合のほか、複数の役が同時に２以上、当選する場合もあり、役抽選手段310はいわゆるグループ抽選が可能となっている。
　      （３）小役
　      （４）再遊技（リプレイ）
　      （５）特別遊技（ボーナス）
　なお、役の種類は、上記した（３）〜（５）に限定されない。
（小役）
　小役は、図示しないが、例えば「ベル」や「スイカ」などの予め設定された小役
図柄が、
３個揃うことで入賞となり
（再遊技）
　再遊技は、いわゆるリプレイとも呼ばれ、図６に示すように、予め設定された再遊技図柄ａ〜ｃ（リプレイ図柄）が有効ライン上に３個揃うことを条件に、メダルを投入すること無しに次回の遊技を行えるという役である。
（ボーナス）
　ボーナスは、特別遊技の一例である。」
（１−ｆ）「【０１３４】
　具体的には、遊技一時中断手段360により、回転リール31〜33の回転中に、
遊技一時中断スイッチ110（離席検出手段）により離席状態が検出されたことを条件に
当該回転リール31〜33に表示された図柄ａ〜ｃを、表示窓20に表示された上下に隣接する２本のライン21〜25の中間に一時停止させる
　以上の記載によれば、甲第１号証には以下の発明（以下「甲１発明」という。）が記載されていると認められる（当審において甲１発明をａ〜ｈ’に分説した。）。
「ａ　外周に複数種類の図柄が表示されている回転リール３１〜３３が停止表示される表示窓２０を備え（【００７４】【００７５】）、
ｂ　スタートスイッチ７０によって３個の回転リール３１〜３３の回転を開始した後、回転リール３１〜３３のリ−ルモータ３４〜３６の駆動を停止させることで、回転リール３１〜３３の図柄を表示窓２０に停止表示し、予め設定された図柄の組み合わせが有効ライン上に揃うことで入賞となるスロットマシン１０において（【００２０】【００２１】【００９１】【００９７】）、
ｃ　所定数の賭数設定を条件に、３個のリールモータ３４〜３６を駆動することで、３個の回転リール３１〜３３の回転を開始させるためスタートスイッチ７０（【００７８】）と、
ｄ’　役抽選手段３１０の抽選結果、及び各ストップスイッチ８０〜８２の操作にもとづいて、ストップスイッチ８０〜８２に対応するリールモータ３４〜３６の停止制御を行うリール停止制御手段３２０（【００２３】）と、
ｅ’　スロットマシン１０において遊技を行っていた遊技者が、当該スロットマシン１０から離れた離席状態を検出する離席検出手段（【００２４】）と、
ｆ’　回転リ−ル３１〜３３の回転中に、離席検出手段により離席状態が検出されたことを条件に、当該回転中の回転リール３１〜３３に対応するリールモータ３４〜３６の駆動を停止させ、回転リール３１〜３３に表示された図柄を一時停止させることで遊技を一時中断させるための遊技一時中断手段３６０（【００２６】）と、
ｇ　遊技一時中断手段３６０による遊技の一時中断中に、遊技再開検出手段により遊技再開状態が検出されたことを条件に、一時停止していた回転リール３１〜３３に対応するリールモータ34〜36の駆動を開始させ、当該回転リール３１〜３３の回転を再開させることで一時中断中の遊技を再開させるための遊技再開手段３７０（【００２７】）と、
を備え、
ｈ’　遊技一時中断手段３６０は、離席検出手段により離席状態が検出されたことを条件に、回転リール３１〜３３に表示された図柄を、表示窓２０に表示された上下に隣接する２本のライン２１〜２５の中間に一時停止させる（【０１３４】）
スロットマシン。」
（２）甲第２号証
　特許異議申立人により特許異議申立書において提出された甲第２号証（特開２００９−２１９７２７号公報）には、以下の事項が記載されている。
「【００１４】
　また、下扉１３ｂには、遊技者検知センサ（検知手段）２４が設けられている。遊技者検知センサ２４は、発光部及び受光部を備えた赤外線センサである。発光部及び受光部は、下扉１３ｂの前面に配置され、スロットマシン本体１２の正面に遊技者がいる場合、発光部から発光された赤外光が遊技者により反射されて受光部に入射するように構成されている。そして、遊技者検知センサ２４は、発光部からの赤外光を受光部が受光できる場合、すなわち、スロットマシン本体１２の正面に遊技者がいる場合、この旨を示す遊技者検知信号を出力する。
　・・・
【００２２】
　また、制御部３４は、リールの回転中、遊技者検知センサ２４から遊技者検知信号が出力されているか否かを監視しており、遊技者検知信号が出力されなくなると、すなわち、スロットマシン本体１２の正面に遊技者がいない状態（非検知状態）なると、タイマ４０を作動させ、非検知状態が継続した時間（非検知時間）の測定を開始する。そして、制御部３４は、非検知時間がメモリ３３に記憶された第１時間（例えば、５秒）以上となった場合、ストップボタン２１ａ〜２１ｃの操作を待たずに、回転中のリールを自動停止制御にて停止させる。他方、制御部３４は、遊技者検知信号が出力されると、すなわち、スロットマシン本体１２の正面に遊技者がいる状態（検知状態）となると、タイマ４０を停止させるとともにタイマ４０の値をリセットし、非検知時間の測定を終了する。」
（３）甲第３号証
　特許異議申立人により特許異議申立書において提出された甲第３号証（特開２００１−５８０２６号公報）には、以下の事項が記載されている。
「【００８１】また、図１２の制御においては、各リール６Ｌ〜６Ｒのリール基準位置６Ｌａ〜６Ｒａが検出された後各操作無効タイマが終了した順にストップ操作を有効化するようにしたが、これに限定されるものではなく、各リール駆動モータ７Ｌ〜７Ｒが回転を開始した後、その回転速度が一定速度に達した後で、各リール６Ｌ〜６Ｒのリール基準位置６Ｌａ〜６Ｒａが検出された場合にストップ操作を有効化するようにしてもよい。この記載によって、前記所定の条件とは、前記可動表示部材の動きが一定速に達した後に前記基準位置検出手段により前記基準位置を検出することであることが開示されている。」
（４）甲第４号証
　特許異議申立人により特許異議申立書において提出された甲第４号証（特開２００９−２６１８４６号公報）には、以下の事項が記載されている。
　
「【００６２】
　なお、前記回転リール40は、回転を開始してから、回転リール40が回転する際の速度の変化量を予め定めた所定の速度変化パターンに基づいて、加速や減速をしながら回転を行う。そして、総ての回転リール40の回転速度がいずれも予め定められた所定速度に達していることを条件に（すなわち、総ての回転リール40の回転速度が一定速度に達した状態である定常回転状態になると、）ストップスイッチ19が、ストップスイッチ有効化手段110により操作可能（すなわち、ストップ信号を出力可能）となるように形成されている。
　（出力段）
　前記制御装置20の出力段には、図１に示すように、次のパーツが接続されている。」
（５）甲第５号証
　特許異議申立人により特許異議申立書において提出された甲第５号証（平成１９年３月１４日公開、特許庁、標準技術集、Ｗｅｂ公開のトップページ「標準技術集作成テーマ一覧」及び「遊技機及びその関連技術　第２部　パチスロ　１　遊技内容（機能関連）　１−２　遊技ルール　１−２−１　遊技内容／遊技ルール／基本ルール　１−２−１−４　リールに関するルール」の第１１頁、）には、以下の事項が記載されている。
「＜リールの停止に関するルール＞
　全てのリールが一定の速度に達するまでは全ての操作を行えないものとし、それ以降も任意にストップボタンを操作しない限り、リールが一定の速度に達した後、３０秒以内に自動停止しないものとする。なお、ストップボタンを操作したのちには０．１９秒以内に停止するものとする（以上、別表第５（１）性能に関する規格内「イ」参照）。」
　
５　対比
　本件発明と甲１発明とを対比すると、甲１発明の「表示窓２０」、「スタートスイッチ７０」、「遊技再開手段３７０」は、それぞれ、本件発明の「可変表示部」、「変動開始手段」、「変動再開手段」に相当する。  
以下、分説に従って対比する。
（ａ）甲１発明の「外周に複数種類の図柄が表示されている回転リール３１〜３３が停止表示される表示窓２０」は、本件発明の「各々が識別可能な複数種類の識別情報を変動表示可能な可変表示部」に相当する。
（ｂ）甲１発明において、「スタートスイッチ７０によって３個の回転リール３１〜３３の回転を開始」することは、表示窓２０（可変表示部）において変動表示することを意味することは明らかである。
　よって、甲１発明の「スタートスイッチ７０によって３個の回転リール３１〜３３の回転を開始した後、回転リール３１〜３３のリ−ルモータ３４〜３６の駆動を停止させることで、回転リール３１〜３３の図柄を表示窓２０に停止表示し、予め設定された図柄の組み合わせが有効ライン上に揃うことで入賞となるスロットマシン１０」は、本件発明の「可変表示部を変動表示した後、前記可変表示部の変動表示を停止することで表示結果を導出し、該表示結果に応じて入賞が発生可能なスロットマシン」に相当する。
（ｃ）甲１発明の「所定数の賭数設定を条件に、３個のリールモータ３４〜３６を駆動すること」は、ゲームの開始を意味することは明らかである。
　よって、甲１発明の「所定数の賭数設定を条件に、３個のリールモータ３４〜３６を駆動することで、３個の回転リール３１〜３３の回転を開始させるためスタートスイッチ７０」は、本件発明の「ゲームの開始に伴い前記可変表示部の変動表示を開始させる変動開始手段」に相当する。
（ｄ’）甲１発明の「役抽選手段３１０の抽選結果、及び各ストップスイッチ８０〜８２の操作にもとづいて、ストップスイッチ８０〜８２に対応するリールモータ３４〜３６の停止制御を行うリール停止制御手段３２０」と、本件発明の「前記可変表示部の変動速度が所定速度となっていることを条件に、前記可変表示部に表示結果を導出させる制御を行う導出制御手段」とは、
「可変表示部に表示結果を導出させる制御を行う導出制御手段」という点で共通する。
（ｅ’）甲１発明の「スロットマシン１０において遊技を行っていた遊技者が、当該スロットマシン１０から離れた離席状態を検出する離席検出手段」と本件発明の「遊技者を検知する遊技者検知手段」とは、「検知手段」という点で共通する。
（ｆ’）甲１発明の「回転リ−ル３１〜３３の回転中」は、本件発明の「可変表示部の変動表示が開始した後、導出制御手段により可変表示部に表示結果が導出されるまで」に相当し、甲１発明の「離席検出手段により離席状態が検出されたことを条件に」とは、本件発明の「遊技者検知手段により遊技者が検知されなくなった場合に」相当する。
　そして、甲１発明の「回転リール３１〜３３に表示された図柄を一時停止させること」により、変動表示中よりも消費電力を少なくすることは、自明な事項である。
　以上のことから、甲１発明の「回転リ−ル３１〜３３の回転中に、離席検出手段により離席状態が検出されたことを条件に、当該回転中の回転リール３１〜３３に対応するリールモータ３４〜３６の駆動を停止させ、回転リール３１〜３３に表示された図柄を一時停止させることで遊技を一時中断させるための遊技一時中断手段３６０」と、本件発明の「可変表示部の変動表示が開始した後、導出制御手段により可変表示部に表示結果が導出されるまでに、遊技者検知手段により遊技者が検知されなくなった場合に、該可変表示部の変動表示を一旦停止させることにより変動表示中よりも消費電力を少なくする変動停止手段」とは、「可変表示部の変動表示が開始した後、導出制御手段により可変表示部に表示結果が導出されるまでに、検知手段により検知されなくなった場合に、該可変表示部の変動表示を一旦停止させることにより変動表示中よりも消費電力を少なくする変動停止手段」という点で共通する。
（ｇ）甲１発明の「遊技一時中断手段３６０による遊技の一時中断中に、遊技再開検出手段により遊技再開状態が検出されたこと」は、本件発明の「所定の再開条件が成立した場合」に相当する。
　よって、甲１発明の「遊技一時中断手段３６０による遊技の一時中断中に、遊技再開検出手段により遊技再開状態が検出されたことを条件に、一時停止していた回転リール３１〜３３に対応するリールモータ３４〜３６の駆動を開始させ、当該回転リール３１〜３３の回転を再開させることで一時中断中の遊技を再開させるための遊技再開手段３７０」は、本件発明の「変動停止手段により前記可変表示部の変動表示が停止している状態で、所定の再開条件が成立した場合に、前記可変表示部の変動表示を再開させる変動再開手段」に相当する。
（ｈ’）甲１発明の「回転リール３１〜３３に表示された図柄を、表示窓２０に表示された上下に隣接する２本のライン２１〜２５の中間に一時停止させる」点は、本件発明の「遊技者が入賞の発生と誤認しない所定停止態様で変動表示を停止させる」点に相当する。
　よって、甲１発明の「遊技一時中断手段３６０は、離席検出手段により離席状態が検出されたことを条件に、回転リール３１〜３３に表示された図柄を、表示窓２０に表示された上下に隣接する２本のライン２１〜２５の中間に一時停止させる」と本件発明の「変動停止手段は、変動表示を一旦停止させる場合に、可変表示部の変動速度が所定速度となっていることを条件に、遊技者が入賞の発生と誤認しない所定停止態様で変動表示を停止させる」とは、「変動停止手段は、変動表示を一旦停止させる場合に、遊技者が入賞の発生と誤認しない所定停止態様で変動表示を停止させる」点で共通する。
　したがって、本件発明１と甲１発明とは、
「Ａ　各々が識別可能な複数種類の識別情報を変動表示可能な可変表示部を備え、
Ｂ　前記可変表示部を変動表示した後、前記可変表示部の変動表示を停止することで表示結果を導出し、該表示結果に応じて入賞が発生可能なスロットマシンにおいて、
Ｃ　ゲームの開始に伴い前記可変表示部の変動表示を開始させる変動開始手段と、
Ｄ’　前記可変表示部に表示結果を導出させる制御を行う導出制御手段と、
Ｅ’　検知手段と、
Ｆ’　前記可変表示部の変動表示が開始した後、前記導出制御手段により前記可変表示部に表示結果が導出されるまでに、前記検知手段により検知されなくなった場合に、該可変表示部の変動表示を一旦停止させることにより変動表示中よりも消費電力を少なくする変動停止手段と、
Ｇ　前記変動停止手段により前記可変表示部の変動表示が停止している状態で、所定の再開条件が成立した場合に、前記可変表示部の変動表示を再開させる変動再開手段と、
　を備え、
Ｈ’　前記変動停止手段は、前記変動表示を一旦停止させる場合に、遊技者が入賞の発生と誤認しない所定停止態様で変動表示を停止させるスロットマシン。」
である点で一致し、以下の点で相違する。
［相違点１］（構成Ｄ）
　可変表示部に表示結果を導出する導出制御手段に関して、本件発明は、可変表示部の変動速度が所定速度となっていることを条件としているのに対し、甲１発明は、そのように特定されていない点。
［相違点２］（構成Ｅ、Ｆ）
　検知手段に関して、本件発明は、遊技者を検出する遊技者検知手段であるのに対して、遊技者の離席状態を検出する離席検知手段である点。
［相違点３］（構成Ｈ）
　可変表示部の変動表示を一旦停止させる変動停止手段に関して、本件発明は、可変表示部の変動速度が所定速度となっていることを条件としているのに対し、甲１発明は、そのように特定されていない点。
６　判断
（１）特許異議申立人の主張について
ア　相違点１について
　甲第３、４号証に記載されているように、回転リールの回転速度が一定速度に達したことを条件にストップスイッチを有効化し、回転リールの停止制御を行うことは周知の事項であるから、相違点１は、甲１発明に上記周知の事項を適用することにより容易に想到し得るものである（特許異議申立書第２６頁第１３行〜第２７頁第２行）。
　
イ　相違点２について
　甲第２号証には、スロットマシン本体１２の正面に遊技者がいる場合、この旨を示す遊技者検知信号を出力する遊技者検知センサ２４を設けることが記載されているから、相違点２は、甲１発明に上記甲第２号証に記載された事項を適用することにより容易に想到し得るものである（特許異議申立書第２７頁第５〜２２行）。
ウ　相違点３について
　甲第５号証に記載されているとおり、全てのリールが一定の速度に達するまでは全ての操作を行えないようにすることは、当業者において技術標準として認識されている。そして、上記の「全ての操作」には、当然ながら、離席検出手段（例えば、遊技一時中断スイッチ１１０）の操作も含まれる。従って、甲１発明において、「回転リールの回転速度が一定速度に達したことを条件に離席検出手段の操作を行うことにより、回転リールの一時停止の制御を行う」ようになっていることは、当業者にとっては当然の事項である。
　以上から、甲第５号証に記載された技術標準を考慮すれば、甲１発明が相違点３の構成を備えていることは、当業者にとって当然の事項である（特許異議申立書第２８頁第１〜１７行）。
（２）当審の判断
　事案に鑑み、相違点３について検討する。
ア　［相違点３］について
　上記相違点３に係る本件発明の「変動停止手段」については、請求項１の構成Ｆにおいて「前記可変表示部の変動表示が開始した後、前記導出制御手段により前記可変表示部に表示結果が導出されるまでに、前記遊技者検知手段により遊技者が検知されなくなった場合に、該可変表示部の変動表示を一旦停止させることにより変動表示中よりも消費電力を少なくする変動停止手段」と特定されているので、「遊技者検知手段により遊技者が検知されなくなった場合該可変表示部の変動表示を一旦停止させる」構成が前提となるものである。
　甲１発明においては、離席検出手段により離席状態が検出されたことを条件に、回転リール３１〜３３に表示された図柄を一時停止させるものであるから、上記「遊技者検知手段により遊技者が検知されなくなった場合該可変表示部の変動表示を一旦停止させる」構成とするためには、甲１発明の当該離席検出手段を、甲第２号証に記載された遊技者検知センサ２４で置換した構成（以下、「甲１発明に甲第２号証記載の事項を適用した構成」という。）にする必要がある。
　一方、甲第５号証には、「全てのリールが一定の速度に達するまでは全ての操作を行えないものとし、それ以降も任意にストップボタンを操作しない限り、リールが一定の速度に達した後、３０秒以内に自動停止しないものとする。なお、ストップボタンを操作したのちには０．１９秒以内に停止するものとする。」と記載されている。
　ここで、「操作」とは、「（機械などを）あやつって働かせること。また、自分に都合のよいようにうまく運用・処理すること。」（株式会社岩波書店 広辞苑第六版）を意味するものであり、その操作の主体は人間であるといえる。また、甲第５号証の記載には「ストップボタンの操作」と記載されており、ストップボタンは人間が操作するものであるから、人間の操作を意図していることは明らかである。
　さらに言えば、甲第５号証は、特許庁が「遊技機及びその関連技術」における標準技術を公開した標準技術集の一部であり、全てのリールが一定の速度に達するまでは遊技者が全ての操作を行えないことは遊技機において標準技術であることを示すに過ぎず、遊技者検出手段により遊技者が検出されなくなった場合に変動表示を停止させる技術を前提として、全てのリールが一定の速度に達するまでは、変動表示を停止しないことは標準技術ということはできないから、上記標準技術集に記載された「全ての操作」には、人間以外の操作（検知手段に基づく制御動作等）は含まれないといえる。
　よって、上記甲第５号証の「全てのリールが一定の速度に達するまでは全ての操作を行えない」との記載があったとしても、甲第５号証からは、全てのリールが一定の速度に達するまでは遊技者の全ての操作を行えないことがいえるに過ぎず、遊技者の操作を要さない「甲１発明に甲第２号証記載の事項を適用した構成」において、可変表示部の変動速度が所定速度となっていることを条件に変動表示を停止することは、当業者が容易に想到できたこととはいえない。
　したがって、甲１発明において、甲第２号証の記載を適用するとともに、甲第５号証の記載を考慮して上記相違点３に係る本件発明の構成とすることは、当業者が容易になし得たこととはいえない。
　特許異議申立人は、「全ての操作」には、甲１発明の離席検出手段（例えば、遊技一時中断スイッチ１１０）の操作も含まれるから、甲１発明において、「回転リールの回転速度が一定速度に達したことを条件に離席検出手段の操作を行うことにより、回転リールの一時停止の制御を行う」ようになっていることは、当業者にとっては当然の事項であると主張する。
　確かに、甲１発明における離席検出手段（遊技一時中段スイッチ１１０）は、遊技者が操作するものを含むといえるから、甲１発明のみにおいて甲第５号証の記載を適用することは可能である。
　しかしながら、甲１発明に甲第５号証の記載を適用しただけでは、上記相違点３に係る本件発明とならず、上記で検討したとおり、甲１発明の離席検知手段を甲第２号証に記載された遊技者検知センサ２４で置換しなければならない。
　そうすると、甲第５号証に記載された「全てのリールが一定の速度に達するまでは全ての操作を行えない」ようにする必然性はないから、同様に、上記相違点３に係る本件発明の構成とすることは、当業者が容易になし得たこととはいえない。
　また、甲第３、４号証には、回転リールの回転速度が一定速度に達したことを条件に遊技者が操作するストップスイッチを有効化し、回転リールの停止制御を行うことが記載されているが、遊技者検出手段により遊技者が検出されなくなった場合に可変表示部の変動表示を一旦停止させる変動停止手段に関して、可変表示部の変動速度が所定速度となっていることを条件とする上記相違点３に係る本件発明の構成を開示するものではない。
　したがって、甲１発明に甲第２〜５号証の記載事項を適用し、上記相違点３に係る本件発明とすることは、当業者が容易になし得たこととはいえない。
イ　まとめ
　よって、相違点１、２について検討するまでもなく、本件発明は、甲１発明及び甲第２〜５号証の記載事項に基づいて当業者が容易に発明をすることができたものとはいえない。
７　むすび
　以上のとおりであるから、特許異議申立の理由及び証拠によっては、請求項１に係る特許を取り消すことはできない。
　また、他に請求項１に係る特許を取り消すべき理由を発見しない。
　よって、結論のとおり決定する。
【異議決定日】
平成２９年２月２１日（２０１７．２．２１）